(57)【要約】【課題】記憶容量を抑制するとともに、画像の種類に応じた色補正処理を行うことができる画像処理装置、画像形成装置、画像処理方法、画像処理プログラム、およびこれを記録した記録媒体を提供する。【解決手段】入力補正部６は、マトリクス係数を用いて、入力された画像の画像データにおける色成分の信号の強度を補正する入力色補正部２４と、画像の種類に応じたマトリクス係数を複数格納するマトリクス係数記憶部２６と、マトリクス係数記憶部２６に格納されたマトリクス係数のうち、入力された画像の種類に応じたマトリクス係数を読み出し、入力色補正部２４に設定する制御部２５とを備える。【選択図】　図２
2004023401.tif 000002
【特許請求の範囲】
【請求項１】
マトリクス係数を用いて、入力された画像の画像データにおける色成分の信号の強度を補正するための入力色補正処理を行う入力色補正手段と、
画像の種類に応じたマトリクス係数を複数格納するマトリクス係数記憶手段と、
上記マトリクス係数記憶手段に格納されたマトリクス係数のうち、入力された画像の種類に応じたマトリクス係数を読み出し、上記入力色補正手段に設定する制御手段とを備えることを特徴とする画像処理装置。
【請求項２】
上記画像の種類は、少なくとも、文字、網点、および、写真のうちのいずれかであることを特徴とする請求項１に記載の画像処理装置。
【請求項３】
ルックアップテーブルを用いて、上記色成分で構成される第１表色系からなる第１画像データを、記録媒体上に画像を形成するための第２表色系からなる第２画像データに変換する色変換手段を備えることを特徴とする請求項１に記載の画像処理装置。
【請求項４】
上記制御手段は、上記入力された画像を構成する色材の種類に応じて、上記入力色補正手段にマトリクス係数を設定することを特徴とする請求項１に記載の画像処理装置。
【請求項５】
請求項１ないし４のいずれか１項に記載の画像処理装置と、
原稿から画像を読み取り、上記画像処理装置に読み取った画像を入力する画像入力装置とを備えることを特徴とする画像形成装置。
【請求項６】
複数のマトリクス係数のうち、入力された画像の種類に対応するマトリクス係数を選択し、
上記選択されたマトリクス係数を用いて、上記入力された画像の画像データにおける色成分の信号の強度を補正する入力色補正処理を行うことを特徴とする画像処理方法。
【請求項７】
上記画像の種類は、少なくとも、文字、網点、および、写真のうちのいずれかであることを特徴とする請求項６に記載の画像処理方法。
【請求項８】
上記色成分で構成される第１表色系からなり上記入力色補正処理された第１画像データを、ルックアップテーブルを用いて、記録媒体上に画像を形成するための第２表色系からなる第２画像データに変換する色変換処理を行うことを特徴とする請求項６に記載の画像処理方法。
【請求項９】
上記入力された画像を構成する色材の種類に応じて、上記マトリクス係数を選択することを特徴とする請求項６に記載の画像処理方法。
【請求項１０】
請求項６ないし９のいずれか１項に記載の画像処理方法をコンピュータに実行させる画像処理プログラム。
【請求項１１】
請求項６ないし９のいずれか１項に記載の画像処理方法をコンピュータに実行させる画像処理プログラムを記録した記録媒体。
【発明の詳細な説明】
【０００１】
【発明の属する技術分野】
本発明は、文字、網点、写真などからなる原稿画像を画像処理する画像処理装置、画像形成装置、画像処理方法、画像処理プログラム、およびこれを記録した記録媒体に関するものである。
【０００２】
【従来の技術】
近年、ＯＡ機器のデジタル化が急速に進展し、またカラー画像出力の需要が増してきたことにより、電子写真方式のデジタルカラー複写機やインクジェット方式・熱転写方式のカラープリンタなど（画像形成装置）が広く一般に普及してきている。
【０００３】
これら画像形成装置においては、例えば、デジタルカメラやスキャナなどの画像入力装置より入力された画像情報、あるいは、コンピュータ上で作成された画像情報が画像出力装置を用いて出力される。
【０００４】
このような画像形成装置においては、入力された画像情報に対して、常に色再現の安定した画像を出力することが必要であり、デジタル画像処理技術の色補正処理が重要な役割を果たしている。ここでは、そのままでは出力として不適切な信号になってしまう色信号の補正を行う処理、色自体を変化させるために色信号を変換する処理（色変換処理）、および色自体が変化しなくても色信号の座標系を変換する処理を全て色補正処理という。
【０００５】
色補正処理の方法としては、入力画像データを均等色空間データに変換するための色座標変換方法を含めて、従来から数多くの提案がなされている。このような方法としては、色彩科学ハンドブック新編（日本色彩学会編・東京大学出版会刊行，第１１３７〜１１４９頁）や、日本画像学会誌（第４号（１９９８），第３７巻，第５５５〜５５９頁）に記載されている、直接変換法や３次元補間法などのテーブル参照（Ｌｏｏｋ　Ｕｐ　Ｔａｂｌｅ：ルックアップテーブル、以下ＬＵＴと称する）法やマスキング法がある。
【０００６】
このような色補正処理は、上記画像形成装置では画像処理装置で行われる。画像処理装置で行われる色補正処理としては、例えば、スキャナなどの画像入力装置に対する入力色補正処理（前段の色補正処理）、および、画像入力装置より入力された入力画像データを電子写真方式やインクジェット方式の画像出力装置により紙などの記録媒体上に画像形成を行うために適切な処理を行う色変換処理（後段の色補正処理）がある。
【０００７】
以下、色補正処理（前段の色補正処理および後段の色補正処理）について説明する。
【０００８】
まず、前段の色補正処理について説明する。
【０００９】
通常、スキャナなどの画像入力装置から入力された画像データは、その画像入力装置が有する色空間のデータとなっている。
【００１０】
このため、画像処理装置においては、画像入力装置から入力された画像データに、画像入力装置の照明系、結像系、撮像系で生じる各種の歪みを取り除く処理（前段の色補正処理）を施す必要がある。
【００１１】
例えば、このような前段の色補正処理において上記歪みを取り除くためには、最小自乗法などにより求められた３×３のマトリクス係数が用いられる。
【００１２】
次に、後段の補正処理について説明する。
【００１３】
後段の色補正処理は、ＲＧＢ信号をＣＭＹ（Ｋ）の色材を用いて表現する際、忠実に色彩を表現するために、不要吸収成分を含むＣＭＹ（Ｃ：シアン・Ｍ：マゼンタ・Ｙ：イエロー）色材の分光特性に基づいた色濁りを取り除いてＣＭＹ（Ｋ）信号に変換する処理（色変換処理）である。
【００１４】
例えば、特開昭６０−２２０６６０号公報（従来技術（Ａ））には、後段の色補正処理として、原画像と再生画像の色差を小さくする色補正方法が記載されている。
【００１５】
この色補正方法では、まず、撮像系の色分解信号Ｒ０，Ｇ０，Ｂ０が、色分解信号空間で、予め定められている複数の領域の何れに属しているかを画素毎に識別する。そして、その識別結果に基づいて対応する色補正係数マトリクスを求め、その色補正係数マトリクスを用いて補正分解信号Ｒ１，Ｇ１，Ｂ１を出力する。
【００１６】
これにより、色分解信号空間の領域、即ち、入力された色分解信号Ｒ０，Ｇ０，Ｂ０の値に応じた色補正処理を行うことができる。従って、原画像と再生画像の色差を小さくすることができ、全体的な色補正精度の向上を図ることができる。
【００１７】
なお、色補正係数マトリクスは、色分解信号空間の領域に基づいて予め決定されており、複数用意されている。
【００１８】
また、特許第３１３３４０９号公報（従来技術（Ｂ））には、後段の補正処理として、微妙な同色相の近接色の調整を行うデジタルカラー複写装置が記載されている。
【００１９】
上記デジタルカラー複写装置では、原稿の色相に応じた複数の色変換テーブルを設けるとともに、原稿の色相の判定結果に基づいて適切な色変換テーブルを選択する。これにより、微妙な同色相が近接したカラー原稿の再現性を向上させることができる。
【００２０】
さらに、特開平９−１９３４７７号公報（従来技術（Ｃ））には、後段の補正処理として、印刷画像のオブジェクトごとに色補正を行う印刷装置が記載されている。
【００２１】
上記の印刷装置では、ページ記述言語（ＰＤＬ）で記述された印刷データより、各オブジェクトの種別（図形・文字・写真）を判別し、判別されたオブジェクトの種類に対応する色補正テーブルを用いて色補正を行う。これにより、オブジェクト毎に色補正がなされ適切な印刷画像を得ることができる。
【００２２】
ところで、このような色補正処理を行う画像処理装置には、上述したように、画像入力装置から画像データが入力される。即ち、画像入力装置は、原稿から画像を読み取り、画像データとして画像処理装置に入力する。
【００２３】
この画像入力装置の入力特性は、通常、人間の視覚特性とは一致しない。従って、画像（原稿）の種類などによっては、人間の視覚により把握される色彩とは異なる読み取りをしてしまうことがある。このため、画像の種類などによっては、画像処理装置おいて入力信号の補正を行う必要がある。
【００２４】
【発明が解決しようとする課題】
しかしながら、上記従来技術（Ａ）（Ｂ）に記載の構成は、いずれも、画像入力装置と画像処理装置との関係において、画像の種類（例えば、文字、網点、写真など）に応じた色補正処理（前段の色補正処理）は行っていない。
【００２５】
従って、色補正精度の異なる画像の種類に対応した色補正処理を行うことができない。
【００２６】
また、従来技術（Ｃ）に記載の構成は、画像の種類に応じた色補正処理を行うために、画像の種類に応じた色補正テーブルを複数備えることにより、その構成が複雑になり、記憶容量も大きくする必要がある。これにより、画像処理装置のコストアップを招来する。
【００２７】
さらに、このような色補正テーブルの作成には非常に手間を要する。従って、複数の画像の種類に対応し得る色補正処理を行うために複数の色補正テーブルを用いると、色補正テーブルの作成工程が必要となる。
【００２８】
本発明は、上記の問題点に鑑みてなされたものであり、その目的は、記憶容量を抑制するとともに、画像の種類に応じた色補正処理を行うことができる画像処理装置、画像形成装置、画像処理方法、画像処理プログラム、およびこれを記録した記録媒体を提供することにある。
【００２９】
【課題を解決するための手段】
本発明の画像処理装置は、上記の課題を解決するために、マトリクス係数を用いて、入力された画像の画像データにおける色成分の信号の強度を補正するための入力色補正処理を行う入力色補正手段と、画像の種類に応じたマトリクス係数を複数格納するマトリクス係数記憶手段と、上記マトリクス係数記憶手段に格納されたマトリクス係数のうち、入力された画像の種類に応じたマトリクス係数を読み出し、上記入力色補正手段に設定する制御手段とを備えることを特徴としている。
【００３０】
通常、画像処理装置に入力される画像データの特性は、人間の視覚特性とは一致しない。従って、画像の種類によっては、人間の視覚により把握される色彩とは異なってしまうため、画像の種類に応じて画像データの補正を行う必要がある。
【００３１】
しかしながら、上記の構成によれば、入力された画像の画像データにおける色成分の信号の値にかかわらず、画像の種類に応じてマトリクス係数を切り替えることができる。従って、画像の種類に応じて適切な入力色補正処理を行うことができる。
【００３２】
また、記憶容量の小さなマトリクス係数を用いて、入力色補正処理を行うため、例えば、後に色変換処理（色成分を異なる色成分に変換する処理）を行うとき、画像の種類ごとに、記憶容量の大きなＬＵＴ（ルックアップテーブル）を用いる必要がない。従って、記憶容量の抑制を図ることができる。
【００３３】
上記の画像処理装置は、画像の種類が、少なくとも、文字、網点、および、写真のうちのいずれかであることが好ましい。
【００３４】
上記の構成によれば、例えば、文字、網点（印刷写真）、写真（印画紙写真）、または、それらが混在した画像など、それぞれの種類に応じた入力色補正処理を行うことができる。
【００３５】
上記の画像処理装置は、ルックアップテーブルを用いて、入力された画像の画像データにおける色成分で構成される第１表色系からなる第１画像データを、記録媒体上に画像を形成するための第２表色系からなる第２画像データに変換する色変換手段を備えることが好ましい。
【００３６】
近年、スキャナなどを備えた画像入力装置から入力された画像データを、プリンタなどの画像出力装置に出力する場合、画像処理装置においては、ＬＵＴ（ルックアップテーブル）を用いて入力画像データを色変換するものが主流となっている。
【００３７】
しかしながら、上記の構成によれば、入力色補正部において、画像の種類に応じた入力色補正処理が行われているため、色変換手段においては、画像の種類に応じてＬＵＴを複数備える必要がない。
【００３８】
即ち、いずれかの画像の種類に対応するＬＵＴを１つ備えるだけで、画像の種類がいずれであっても、適切に第１画像データを第２画像データに変換することができる。また、少なくとも１つはＬＵＴを備えることにより、第１画像データから第２画像データへの変換精度は良好となる。
【００３９】
従って、良好な画質の画像を記録媒体上に形成することができる。
【００４０】
また、このように、画像の種類ごとにＬＵＴを作成する必要がないことにより、必要な記憶容量を抑制することができる。従って、画像処理装置におけるパフォーマンスの向上およびコストの低下を図ることができる。
【００４１】
上記の画像処理装置は、制御手段が、入力された画像を構成する色材の種類に応じて、入力色補正手段にマトリクス係数を設定することが好ましい。
【００４２】
ところで、色材（記録媒体上に画像を形成する際に用いるインクなど）の種類は、例えば、メーカーごとに異なるものであったり、用いる画像出力装置によって異なるものであったりする。ここで、画像出力装置とは、色材を用いて記録媒体上に画像を形成するものである。
【００４３】
例えば、画像処理装置に入力された画像の形成に用いられた画像出力装置が、電子写真方式またはインクジェット方式を用いるものか、あるいは、昇華型プリンタであるのかによって、その入力された画像に用いられている色材の種類は異なる。即ち、例えば、画像の形成に用いられた画像出力装置によって、その画像における色再現領域の大きさは異なる。従って、入力された画像の形成に用いられた画像出力装置が異なる場合、その画像を画像データとして読み取る際の読み取り誤差が発生しやすい。
【００４４】
しかしながら、上記の構成によれば、色材の種類に応じたマトリクス係数を設定することができる。
【００４５】
これにより、入力された画像を構成する色材、即ち、入力された画像の形成に用いられていた色材に応じて、適切に、入力色補正処理を行うことができる。従って、より良好な画質の画像を記録媒体上に形成することができる。
【００４６】
本発明の画像形成装置は、上記記載の画像処理装置と、原稿から画像を読み取り、上記画像処理装置に読み取った画像を入力する画像入力装置とを備えることを特徴としている。
【００４７】
上記の構成によれば、画像処理装置は、画像入力装置によって入力された画像の画像データに対して、画像の種類に応じて適切な入力色補正処理を行うことができる。従って、良好な画質の画像を形成することが可能な画像形成装置を提供することができる。
【００４８】
また、記憶容量の小さなマトリクス係数を用いて、入力色補正処理を行うため、例えば、画像処理装置において入力色補正処理より後に色変換処理（色成分を異なる色成分に変換する処理）を行うとき、画像の種類ごとに、記憶容量の大きなＬＵＴ（ルックアップテーブル）を用いる必要がない。従って、画像形成装置において記憶容量の抑制を図ることができる。
【００４９】
本発明の画像処理方法は、上記の課題を解決するために、複数のマトリクス係数のうち、入力された画像の種類に対応するマトリクス係数を選択し、上記選択されたマトリクス係数を用いて、上記入力された画像の画像データにおける色成分の信号の強度を補正する入力色補正処理を行うことを特徴としている。
【００５０】
上記の構成によれば、入力された画像の画像データにおける色成分の信号の値にかかわらず、画像の種類に応じてマトリクス係数を切り替えることができる。従って、画像の種類に応じて適切な入力色補正処理を行うことができる。
【００５１】
また、記憶容量の小さなマトリクス係数を用いて、入力色補正処理を行うため、例えば、後に色変換処理（色成分を異なる色成分に変換する処理）を行うとき、画像の種類ごとに、記憶容量の大きなＬＵＴ（ルックアップテーブル）を用いる必要がない。従って、記憶容量の抑制を図ることができる。
【００５２】
上記の画像処理方法は、画像の種類が、少なくとも、文字、網点、および、写真のうちのいずれかであることが好ましい。
【００５３】
上記の構成によれば、例えば、文字、網点（印刷写真）、写真（印画紙写真）、または、それらが混在した画像など、それぞれの種類に応じた入力色補正処理を行うことができる。
【００５４】
上記の画像処理方法は、入力された画像の画像データにおける色成分で構成される第１表色系からなり入力色補正処理された第１画像データを、ルックアップテーブルを用いて、記録媒体上に画像を形成するための第２表色系からなる第２画像データに変換する色変換処理を行うことが好ましい。
【００５５】
上記の構成によれば、画像データは画像の種類に応じた入力色補正処理が行われているため、画像の種類に応じてＬＵＴを複数備える必要がない。
【００５６】
即ち、いずれかの画像の種類に対応するＬＵＴを１つ備えるだけで、画像の種類がいずれであっても、適切に色変換処理を行うことができる。また、少なくとも１つはＬＵＴを備え、ＬＵＴを用いて色変換処理を行うことにより、色変換処理における変換精度は良好となる。
【００５７】
また、このように、画像の種類ごとにＬＵＴを作成する必要がないことにより、処理に必要な記憶容量を抑制することができる。
【００５８】
上記の画像処理方法は、入力された画像を構成する色材の種類に応じて、マトリクス係数を選択することが好ましい。
【００５９】
上記の構成によれば、色材の種類に応じたマトリクス係数を選択することができる。
【００６０】
これにより、入力された画像を構成する色材、即ち、入力された画像の形成に用いられていた色材に応じて、適切に、入力色補正処理を行うことができる。従って、より良好な画質の画像を形成することができる。
【００６１】
本発明の画像処理プログラムは、上記画像処理方法をコンピュータに実行させることを特徴としている。
【００６２】
上記の構成によれば、画像処理プログラムをコンピュータシステムにロードすることにより、上記画像処理方法をユーザに提供することができる。
【００６３】
本発明の記録媒体は、上記画像処理方法をコンピュータに実行させる画像処理プログラムを記録したことを特徴としている。
【００６４】
上記の構成によれば、上記記録媒体に記録されたプログラムをコンピュータシステムにロードすることにより、上記画像処理方法をユーザに提供することができる。
【００６５】
【発明の実施の形態】
〔実施の形態１〕
本発明の実施の一形態について図１ないし図３に基づいて説明すれば、以下の通りである。
【００６６】
図１は、本実施の形態に係るデジタルカラー複写機（画像形成装置）の要部の構成を示す。本デジタルカラー複写機は、電子写真プロセスを用いるものである。
【００６７】
図１に示すように、本デジタルカラー複写機は、カラー画像入力装置（画像入力装置）２、画像処理装置１、および、カラー画像出力装置（画像出力装置）３を備えている。
【００６８】
カラー画像入力装置２は、例えば入力原稿を読み取るＣＣＤ（Ｃｈａｒｇｅ　ＣｏｕｐｌｅｄＤｅｖｉｃｅ）を備えたスキャナ部により構成されている。カラー画像入力装置２は、原稿からの反射光像を、Ｒ・Ｇ・Ｂ（Ｒ：赤・Ｇ：緑・Ｂ：青）のアナログ信号としてＣＣＤにて読み取って、画像処理装置１に入力する。
【００６９】
画像処理装置１は、カラー画像入力装置２にて読み取られた原稿画像（画像）に所定の画像処理を行う。画像処理装置１の構成および画像処理については後に詳述する。
【００７０】
カラー画像出力装置３は、画像処理装置１から出力された信号に基づいて、カラー画像を用紙（記録媒体）上に形成する。カラー画像出力装置３は、少なくとも、例えば、図示しない感光体と、画像処理装置１から入力される複数色の画像信号に基づいて感光体を露光する露光部と、露光によって感光体表面に形成される静電潜像を複数色のトナーにより現像する現像部と、現像されたトナー像を用紙に転写する転写部とを有する。
【００７１】
次に、画像処理装置１の構成について説明する。
【００７２】
画像処理装置１は、Ａ／Ｄ（アナログ／デジタル）変換部５、入力補正部６、原稿種別自動判別部（原稿種類判別手段）７、入力階調補正部８、領域分離処理部９、色補正部（色変換手段）１０、黒生成下色除去部１１、空間フィルタ処理部１２、出力階調補正部１３、および、階調再現処理部１４を備える。
【００７３】
Ａ／Ｄ変換部５は、カラー画像入力装置２によって読み取られ、画像処理装置１に入力されたＲ・Ｇ・Ｂのアナログ信号を、Ｒ・Ｇ・Ｂのデジタル信号（ＲＧＢ信号）に変換する。
【００７４】
入力補正部６は、Ａ／Ｄ変換部５から入力されたＲＧＢ信号に対して、シェーディング補正・ライン遅延処理・ＭＴＦ補正処理・入力色補正処理（色補正処理）など（補正処理）を行い、Ｒ０・Ｇ０・Ｂ０信号を出力する。この入力補正部６の構成・上記補正処理については後に詳述する。
【００７５】
原稿種別自動判別部７は、入力補正部６にて補正処理されたＲＧＢ信号（Ｒ・Ｇ・Ｂの反射率信号）を補色反転してＣ（シアン：青緑）・Ｍ（マゼンタ：赤紫）・Ｙ（イエロー：黄）の信号とするとともに、濃度信号に変換する。このように濃度信号に変換することにより、画像処理装置１に採用されている画像処理システムが扱い易い信号とすることができる。
【００７６】
また、原稿種別自動判別部７は、入力された原稿画像が、例えば、文字であるか、写真（印刷写真・印画紙写真）であるか、あるいはそれらが混在する文字／写真であるかの判別を自動で行う。
【００７７】
原稿種別自動判別部７における入力された原稿画像の種類を判別する方法としては、例えば本出願人が先に提案した方法（特願２００１−１２４５０号（平成１３年、１月１９日出願：未公開））を用いることができる。
【００７８】
この方法では、まず、原稿に対して、原稿読み取り用の本スキャンに先立ってプレスキャンを行う。このプレスキャン時において、原稿種別自動判別部７に入力されたＲ０・Ｇ０・Ｂ０信号に基づいて作成された濃度ヒストグラムより、予め定められる閾値より小さい低度数濃度区分の数、第１の最大度数の濃度区分、第１の最大度数の濃度区分に隣接する濃度区分以外で最大度数値をもつ第２の最大度数の濃度区分を求める。そして、第１の最大度数値の総画素数に対する割合、および、（第１の最大度数値−第２の最大度数値）の総画素数に対する割合を算出する。これらの値を予め定められる閾値と比較することにより、原稿画像を文字、写真、文字／写真の何れかの種類に分類する。
【００７９】
また、原稿画像が写真と判断された場合は、原稿種別自動判別部７に入力されたその画像データを２値化し、注目画素を含む複数の画素よりなるマスクを設定し、主走査方向・副走査方向での「０」から「１」、「１」から「０」への変化点数の和を求める（高速化のために主走査方向の変化点数だけでもよい）。そして、その和が、予め定められる閾値以上ならば印刷写真（網点）、閾値未満ならば印画紙写真と判別するようにしてもよい。これは、印刷写真の場合、局所領域における画像信号の変動が大きいという特徴を用いたものである。
【００８０】
このように原稿画像の種類を判別した後、その判別結果、即ち原稿画像の種類に応じた画像種類判別信号（画像種類信号）を、入力補正部６、入力階調補正部８、領域分離処理部９、黒生成下色除去部１１、空間フィルタ処理部１２、および、階調再現処理部１４に入力する。この入力された画像種類判別信号は、本スキャン時に利用される。
【００８１】
ここで、上述したように、プレスキャン時に原稿画像の種類を判別する場合、プレスキャン時の入力補正部６はデフォルト設定として原稿の種類の判別を行う。その判別結果（画像種類判別信号）が入力補正部６に入力されると、入力補正部６はデフォルト設定からその原稿画像の種類に応じた設定に変更される。
【００８２】
これにより、その後、本スキャンを行うことにより、原稿画像の種類に応じて最適に、後述する入力色補正部や色変換処理といった色補正処理（画像処理）を行うことができる。
【００８３】
なお、本スキャン時には、原稿種別自動判別部７に入力されたＲ０・Ｇ０・Ｂ０信号は、そのまま入力階調補正部８に入力される。
【００８４】
入力階調補正部８は、入力補正部６におけるシェーディング補正にて各種の歪みが取り除かれたＲ０・Ｇ０・Ｂ０信号に対して、カラーバランスを整えると同時に、原稿種別自動判別部７からの画像種類判別信号に基づいて、下地濃度の除去やコントラストなどの画質調整処理を施すものである。
【００８５】
領域分離処理部９は、入力階調補正部８から入力された画質調整処理などの施されたＲ０・Ｇ０・Ｂ０信号より、入力画像中の各画素を文字領域、網点領域、写真領域のいずれかに分離する。
【００８６】
また、領域分離処理部９は、その領域分離結果に基づいて、画素がどの領域に属しているかを示す領域識別信号を、黒生成下色除去部１１、空間フィルタ処理部１２、および、階調再現処理部１４に入力するとともに、入力階調補正部８から入力された入力信号をそのまま後段の色補正部１０に出力する。
【００８７】
色補正部１０は、入力されたＲ・Ｇ・Ｂの３色（第１表色系）からなるＲ０・Ｇ０・Ｂ０信号（第１画像データ）を、Ｒ・Ｇ・Ｂの補色であるＣ・Ｍ・Ｙの３色（第２表色系）からなる、Ｃ’Ｍ’Ｙ’信号（第２画像データ）に変換する色変換処理を行う。これにより、カラー画像入力装置２が読み取った色（Ｒ・Ｇ・Ｂ）を、トナーやインクなどにおいて記録媒体上に画像を形成すための色（Ｃ・Ｍ・Ｙ）に変換することができる。
【００８８】
また、色補正部１０は、Ｃ’Ｍ’Ｙ’信号に対して、色再現の忠実化実現のために、不要吸収成分を含むＣ・Ｍ・Ｙ色材の分光特性に基づいた色濁りを取り除く処理を行う。
【００８９】
この色補正部１０における処理には、従来より用いられている直接変換法、特開２００１−１５７０７２号公報などに記載の２次元補間法や３次元補間法などのテーブル参照（Ｌｏｏｋ　Ｕｐ　Ｔａｂｌｅ：ルックアップテーブル）法、マスキング法、あるいは、特開２０００−３２４３４８号公報などに記載のビット切り捨て直接変換法などを用いることができる。
【００９０】
黒生成下色除去部１１は、色補正部１０から入力されたＣ・Ｍ・Ｙの３色からなるＣ’Ｍ’Ｙ’信号から黒（Ｋ）信号を生成する黒生成処理、および、Ｃ’Ｍ’Ｙ’信号から黒生成で得たＫ信号を差し引いて新たなＣＭＹ信号を生成する下色除去処理を行う。即ち、黒生成下色除去部１１は、Ｃ・Ｍ・Ｙの３色信号（Ｃ’Ｍ’Ｙ’信号）をＣ・Ｍ・Ｙ・Ｋの４色信号（ＣＭＹＫ信号）に変換する黒生成下色除去処理を行う。
【００９１】
黒生成処理の一例として、一般に、スケルトンブラックによる黒生成を行う方法がある。この方法では、スケルトンカーブの入出力特性をｙ＝ｆ（ｘ）、入力されるデータをＣ’，Ｍ’，Ｙ’、出力されるデータをＣ，Ｍ，Ｙ，Ｋ、ＵＣＲ（Ｕｎｄｅｒ　Ｃｏｌｏｒ　Ｒｅｍｏｖａｌ）率をα（０＜α＜１）とすると、黒生成下色除去処理は以下の式（１）で表される。
【００９２】
【数１】
2004023401.tif 000003
【００９３】
空間フィルタ処理部１２は、黒生成下色除去部１１から入力されるＣＭＹＫ信号の画像データに対して、領域識別信号に基づいてデジタルフィルタによる空間フィルタ処理を行う。これにより、空間周波数特性を補正することができ、出力画像のぼやけや粒状性劣化を防ぐことができる。
【００９４】
例えば、領域分離処理部９にて文字に分離された領域は、特に黒文字あるいは色文字の再現性を高めるために、空間フィルタ処理部１２による空間フィルタ処理（鮮鋭強調処理）によって、高域周波数の強調量が大きくされる。同時に、後述する階調再現処理部１４においては、高域周波数の再現に適した高解像度のスクリーンでの二値化または多値化処理が選択される。
【００９５】
また、領域分離処理部９にて網点に分離された領域に関しては、空間フィルタ処理部１２において、入力網点成分を除去するためのローパスフィルタ処理が施される。
【００９６】
出力階調補正部１３は、濃度信号などの信号をカラー画像出力装置３の特性値である網点面積率に変換する出力階調補正処理を行う。
【００９７】
階調再現処理部１４は、領域識別信号に基づいて出力階調補正部１３から入力されるＣＭＹＫ信号の画像データに対して所定の処理を施す。即ち、階調再現処理部１４は、最終的に画像を画素に分離し、それぞれの階調を再現できるように処理する階調再現処理（中間調生成）を施す。なお、領域分離処理部９にて写真に分離された領域に関しては、階調再現性を重視したスクリーンでの二値化または多値化処理が行われる。
【００９８】
上述した各処理が施された画像データは、一旦記憶手段に記憶され、所定のタイミングで読み出されてカラー画像出力装置３に入力される。なお、以上の処理は、図示しないＣＰＵ（Ｃｅｎｔｒａｌ　Ｐｒｏｃｅｓｓｉｎｇ　Ｕｎｉｔ）により制御される。
【００９９】
なお、このカラー画像出力装置３は、画像データを記録媒体（例えば紙など）上に出力するもので、例えば、電子写真方式やインクジェット方式を用いた画像出力装置などを挙げることができるが、特にこれに限定されるものではない。
【０１００】
また、原稿種別自動判別部７は、画像処理装置１に必ずしも設けなくてもよい。即ち、操作者が、本デジタルカラー複写機に設けられた操作パネル４から、原稿画像の種類を表す画像モードを選択するようにしてもよい。この場合、操作者が画像モードを選択することにより画像種類判別信号が発生し、画像処理装置１に入力されるようになっている。画像モードとしては、例えば、文字画像モード、印刷写真画像モード、印画紙写真画像モード、および、文字／写真画像モードなどが挙げられる。この操作パネル４は、例えば、液晶パネルなどの図示しない表示部と図示しない設定ボタンとからなる構成とすることができる。
【０１０１】
あるいは、原稿種別自動判別部７における原稿画像の種類判別処理を、プレスキャン時以外に行うようにしてもかまわない。例えば、Ａ／Ｄ変換部５から出力されたＲ・Ｇ・Ｂ信号（Ａ／Ｄ変換後の画像データ）を、図示しない画像メモリに格納しておくとともに、原稿種別自動判別部７において原稿画像の種類の判別を行う。そして、その判別結果（画像種類判別信号）を入力補正部６に入力し、入力補正部６の設定をその原稿画像の種類に応じた設定に変更する。その後、画像メモリから画像データを読み出して、入力補正部６以降、上述した処理を施す。なお、この場合、プレスキャンは不要である。
【０１０２】
以下、本実施の形態に係るデジタルカラー複写機において特徴的な構成である入力補正部６の構成、および、入力補正部６における入力色補正処理について説明する。
【０１０３】
まず、入力補正部６の構成について、図２に基づいて説明する。
【０１０４】
入力補正部６は、図２に示すように、シェーディング補正部２１、ライン遅延補正部２２、ＭＴＦ（ＭＴＦ：Ｍｏｄｕｌａｔｉｏｎ　Ｔｒａｎｓｆｅｒ　Ｆｕｎｃｔｉｏｎ）補正部２３、入力色補正部（入力色補正手段）２４、制御部（制御手段）２５、および、マトリクス係数記憶部（マトリクス係数記憶手段）２６を備える。
【０１０５】
シェーディング補正部２１は、Ａ／Ｄ変換部５より送られてきたデジタルのＲＧＢ信号に対して、カラー画像入力装置２の照明系、結像系、撮像系で生じる各種の歪みを取り除く処理を施す。
【０１０６】
ライン遅延補正部２２は、ＣＣＤにおけるＲ・Ｇ・Ｂ間にあるラインギャップを取り除き、ラインギャップがないデータに変換する。即ち、Ｒ・Ｇ・Ｂの各フィルタが設けられたＣＣＤの位置が異なることに起因する位置ズレを、ライン遅延補正部２２において補正する。
【０１０７】
ＭＴＦ補正部２３は、ＭＴＦ（Ｍｏｄｕｌａｔｉｏｎ　Ｔｒａｎｓｆｅｒ　Ｆｕｎｃｔｉｏｎ）の劣化を修復する。
【０１０８】
通常、ＣＣＤの出力する画像信号には、レンズやミラーなどの光学部品、ＣＣＤの受光面のアパーチャ開口度、転送効率や残像、物理的な走査による積分効果および走査むらなどに起因して、ＭＴＦの劣化が生じている。このＭＴＦの劣化により、読み込まれた画像がぼやけたものとなる。
【０１０９】
そこで、ＭＴＦ補正部２３が適切なフィルタ処理（強調処理）を施すことにより、ＭＴＦの劣化により生じるぼやけを修復して、画像品質を向上させることができる。
【０１１０】
入力色補正部２４は、画像データのやり取りや画像処理を理想的に実行するための入力色補正処理を行う。即ち、入力色補正部２４は、画像処理装置１に入力された画像データにおける色成分の信号（ＲＧＢ信号）の強度を補正する。
【０１１１】
具体的には、入力色補正部２４は、最小自乗法などにより求められた３×３のマトリクス係数（色補正マトリクス係数）を用いて、次式（２）に示すように、ＭＴＦ補正部２３から入力された入力信号を変換する。
【０１１２】
【数２】
2004023401.tif 000004
【０１１３】
ここで、Ｒｉｎ，Ｇｉｎ，Ｂｉｎは入力信号、Ｍｉｊ（ｉ，ｊ＝１〜３）はマトリクス係数、Ｒ０，Ｇ０，Ｂ０は出力信号とする。
【０１１４】
マトリクス係数記憶部２６は、３×３のマトリクス係数を複数格納している。この複数のマトリクス係数はそれぞれ、各原稿画像の種類に対応している。即ち、マトリクス係数記憶部２６は、各原稿画像の種類に応じたマトリクス係数を格納している。
【０１１５】
制御部２５は、入力色補正部２４およびマトリクス係数記憶部２６を制御する。また、制御部２５には、原稿種別自動判別部７あるいは操作パネル４から出力された画像種類判別信号が入力される。例えば、画像種類判別信号が制御部２５に入力されると、制御部２５は、入力色補正部２４に予め設定されているマトリクス係数、または、制御部２５によってマトリクス係数記憶部２６から読み出されて入力色補正部２４に設定されたマトリクス係数を用いて入力色補正処理を行うように制御する。
【０１１６】
通常、カラー画像入力装置２により読み取られて画像処理装置１に入力される画像データの特性は、人間の視覚特性とは一致しない。従って、原稿画像の種類によっては、人間の視覚により把握される色彩とは異なってしまうため、原稿画像の種類に応じて画像データの補正を行う必要がある。ここで、原稿画像の種類とは、原稿画像が、文字・印刷写真（網点）・印画紙写真（写真）のいずれか、あるいはこれらが混在したものをさす。
【０１１７】
しかしながら、上述したように、入力補正部６は、マトリクス係数を用いて、入力された原稿画像の画像データにおける色成分の信号の強度を補正するための入力色補正処理を行う入力色補正部２４と、原稿画像の種類に応じたマトリクス係数を複数格納するマトリクス係数記憶部２６と、マトリクス係数記憶部２６に格納されたマトリクス係数のうち、入力された原稿画像の種類に応じたマトリクス係数を読み出し、入力色補正部２４に設定する制御部２５を備える。
【０１１８】
これにより、入力された原稿画像の画像データにおける色成分の信号（ＲＧＢ信号）の値にかかわらず、原稿画像の種類に応じて入力色補正部２４で用いるマトリクス係数を切り替えることができる。従って、原稿画像の種類に応じて適切な入力色補正処理を行うことができる。
【０１１９】
次に、入力色補正部２４における上記マトリクス係数を用いた入力色補正処理について、より具体的に説明する。
【０１２０】
入力色補正部２４には、予め、マトリクス係数記憶部２６に格納されているマトリクス係数のうちのいずれかがデフォルトとして設定されている。ここでは、印刷写真に対応するマトリクス係数が予め設定されているとする。
【０１２１】
例えば、原稿画像の種類が印刷写真である場合、即ち、印刷写真に対応する画像種類判別信号が制御部２５に入力されると、制御部２５は、入力色補正部２４が、入力色補正部２４に設定されているマトリクス係数を用いて入力色補正処理を行うように制御する。このときの入力色補正処理を次式（３）に示す。
【０１２２】
【数３】
2004023401.tif 000005
【０１２３】
また、印画紙写真は一般的に印刷写真より色再現領域が広く、かつ、彩度が高い。従って、印画紙写真の場合に、印刷写真に対応したマトリクス係数をそのまま用いて入力色補正処理を行うと、階調飽和が発生することがある。
【０１２４】
このため、彩度を抑え、階調飽和が発生しないようなマトリクス係数を用いて入力色補正処理を行う必要がある。
【０１２５】
そこで、原稿画像の種類が印画紙写真である場合、即ち、印画紙写真に対応する画像種類判別信号が制御部２５に入力されると、制御部２５は、印画紙写真に対応するマトリクス係数を、マトリクス係数記憶部２６から読み出し、そのマトリクス係数を入力色補正部２４に記憶させる。この場合、入力色補正部２４は、この新たに記憶した印画紙写真に対応するマトリクス係数を用いて入力色補正処理を行う。このときの入力色補正処理を次式（４）に示す。
【０１２６】
【数４】
2004023401.tif 000006
【０１２７】
また、文字原稿は写真のような連続階調はほとんどない。また、例えば、グラフなどの場合のように、強調表示した方がよいことが多い。ここで、文字原稿は、色文字やプレゼンテーションモードなども含む。
【０１２８】
そこで、原稿画像の種類が文字である場合、即ち、文字に対応する画像種類判別信号が制御部２５に入力されると、制御部２５は、文字に対応するマトリクス係数を、マトリクス係数記憶部２６から読み出し、そのマトリクス係数を入力色補正部２４に記憶させる。この場合、入力色補正部２４は、この新たに記憶した文字に対応するマトリクス係数を用いて入力色補正処理を行う。このときの入力色補正処理を次式（５）に示す。
【０１２９】
【数５】
2004023401.tif 000007
【０１３０】
このように、入力補正部６は、マトリクス係数を用いて、入力信号（入力された画像の画像データにおける色成分の信号）の強度を補正する。従って、原稿画像の特性に応じて、彩度を抑制（圧縮）あるいは強調する量、あるいは、色相の調整量を変化させることができる。
【０１３１】
なお、マトリクス係数は、３×３に特に限定されるものではない。例えば、入力色補正処理において所望する補正精度に応じて、３×４や３×９などのマトリクス係数を用いてもかまわない。
【０１３２】
また、上記マトリクス係数の読み出しは、入力色補正部２４が行ってもかまわない。この場合、制御部２５からマトリクス係数記憶部２６へは、読み出すマトリクス係数が格納されているメモリの先頭のアドレスを示す信号が入力される。
【０１３３】
以下、上述した入力色補正処理を、図３に示すフローチャートを用いて説明する。
【０１３４】
以下では、上記と同様に、デフォルト設定として印刷写真に対応するマトリクス係数が設定されているとする。
【０１３５】
図３に示すように、まず、画像種類判別信号が入力されると、制御部２５では、その画像種類判別信号が、原稿画像のどの種類に対応したものかを識別する（Ｓ１）。
【０１３６】
そして、入力された画像種類判別信号が、予め設定されている原稿画像の種類、ここでは印刷写真に対応している場合（Ｓ２でＹＥＳ）、そのまま、予め入力色補正部２４に設定されているマトリクス係数を用いて入力色補正処理を行う（Ｓ４）。
【０１３７】
一方、入力された画像種類判別信号が、印刷写真ではないと識別された場合（Ｓ２でＮＯ）、制御部２５は、入力された画像種類判別信号に対応するマトリクス係数をマトリクス係数記憶部２６から読み出して、入力色補正部２４に設定する（記憶させる、Ｓ３）。
【０１３８】
そして、入力色補正部２４は、その新たに設定されたマトリクス係数を用いて入力色補正処理を行う（Ｓ４）。
【０１３９】
ところで、色材（記録媒体上に画像を形成する際に用いるインクやトナーなど）の種類は、例えば、メーカーごとに異なるものであったり、用いる画像出力装置によって異なるものであったりする。
【０１４０】
例えば、画像処理装置１に入力された画像の形成に用いられた画像出力装置が、電子写真方式またはインクジェット方式を用いるものか、あるいは、昇華型プリンタであるのかによって、その入力された画像に用いられている色材の種類は異なる。即ち、画像の形成に用いられた画像出力装置によって、その画像における色再現領域の大きさは異なる。従って、入力された画像の形成に用いられた画像出力装置が異なる場合、その画像を画像データとして読み取る際の読み取り誤差が発生しやすい。
【０１４１】
そこで、上述したマトリクス係数は、さらに、入力された画像を構成する色材の種類に応じて切り替えるようにしてもかまわない。
【０１４２】
ここでは、例えば、本デジタルカラー複写機は、原稿画像の種類を表す画像モードとして、さらに、電子写真プロセスが用いられたモード（電子写真モード）、インクジェットが用いられたモード（インクジェットモード）、および、昇華型プリンタが用いられたモード（昇華型モード）を備えているとする。この場合も上記と同様に操作パネル４より適切な画像モードが入力される。
【０１４３】
一般に、昇華型プリンタで出力（形成）した原稿（画像）は彩度が高い。このため、電子写真方式やインクジェット方式の画像形成装置によって画像を形成すると、その色彩を十分に表現することができない。
【０１４４】
そこで、昇華型モードの場合、印画紙写真画像モードのときと同様、彩度を抑制するようなマトリクス係数を用いる。即ち、昇華型モードの場合、印画紙写真画像モードで用いるマトリクス係数を用いるように設定すればよい。
【０１４５】
また、通常、各モードにおける色再現領域の大きさを比較すると、昇華型モード＞インクジェットモード＞電子写真モードとなる。
【０１４６】
そこで、例えば、インクジェットモードの場合は昇華型モードのときより少なめに彩度を抑制する（彩度圧縮率が小さくなるように）、また、電子写真モードの場合はインクジェットモードのときよりさらに少なめに彩度を抑制するようなマトリクス係数を用いればよい。
【０１４７】
なお、色材は、それを製造するメーカーによっても異なることがあるため、メーカーに応じてマトリクス係数をかえてもかまわない。
【０１４８】
例えば、インクジェット方式により画像が形成された原稿の場合、制御部２５によってマトリクス係数を切り替え、次式（６）に示すような色補正処理としてもかまわない。
【０１４９】
【数６】
2004023401.tif 000008
【０１５０】
これにより、入力された画像を構成する色材、即ち、入力された画像の形成に用いられていた色材に応じて、適切に、入力色補正処理を行うことができる。従って、より良好な画質の画像を記録媒体上に形成することができる。
【０１５１】
以上のように、入力補正部６において、画像の種類に対応するマトリクス係数を用いて画像の種類に対応する入力色補正処理を行うことにより、画像の種類ごとに別個に色変換処理を行うための色補正部１０を設ける必要がない。
【０１５２】
即ち、色補正部１０は、上述した原稿画像モードのうちいずれかひとつをデフォルトとし、その原稿画像モードに対応する色補正テーブル（ルックアップテーブル（ＬＵＴ：Ｌｏｏｋ　Ｕｐ　Ｔａｂｌｅ）を保持していればよい。
【０１５３】
近年では、カラー画像入力装置２から入力された画像データを、カラー画像出力装置３に出力する場合、画像処理装置１の色補正部１０において、色補正テーブルを用いて画像データを色補正処理するものが主流となっている。
【０１５４】
例えば、本デジタルカラー複写機が、原稿画像の種類として、文字・印刷写真（網点）・印画紙写真（写真）に対応可能に構成されているとすれば、色補正部１０が直接変換法を用いて色補正処理をする場合、色補正テーブルのデータ量は２２４×３（色）＝５０３３１６４８（ｂｙｔｅ）であり、入力補正部６が有するマトリクス係数のデータ量は、９×３（色）＝２７（ｂｙｔｅ）であるため、メモリにおいて必要な合計データ量としては約４８（Ｍｂｙｔｅ）となる。
【０１５５】
ここで、入力補正部６において原稿画像の種類に応じたマトリクス係数を備えておらず、色補正処理部１０において、原稿画像の種類に応じた色補正テーブルを保持する構成を比較例とする。
【０１５６】
この比較例の場合、色補正テーブルのデータ量が２２４×３（色）×３（種類）＝１５０９９４９４４（ｂｙｔｅ）となるため、メモリにおいて必要な合計データ量としては１４４（Ｍｂｙｔｅ）となる。
【０１５７】
このように、入力補正部６において上述した入力色補正処理を行っていることにより、色補正部１０では、画像の種類に応じて色補正テーブルを複数備える必要がない。
【０１５８】
即ち、いずれかの画像の種類に対応する色補正テーブルを１つ備えるだけで、画像の種類がいずれであっても、適切に色補正処理（色変換処理）することができる。また、少なくとも１つは色補正テーブルを備えることにより、Ｒ０・Ｇ０・Ｂ０信号からＣ’Ｍ’Ｙ’信号への変換精度は良好となる。
【０１５９】
従って、良好な画質の画像を記録媒体上に形成することができる。
【０１６０】
また、このように、画像の種類ごとに色補正テーブルを作成する必要がないことにより、必要な記憶容量を抑制することができる。従って、画像処理装置１におけるパフォーマンスの向上およびコストの低下を図ることができる。
【０１６１】
〔実施の形態２〕
本発明の他の実施の一形態について図４・図５に基づいて説明すれば、以下の通りである。なお、本実施の形態において、実施の形態１における構成要素と同などの機能を有する構成要素については、同一の符号を付記してその説明を省略する。
【０１６２】
図４に示すように、画像処理装置４０は、Ａ／Ｄ（アナログ／デジタル）変換部４１、入力補正部４２、および、原稿種別自動判別部（原稿種類判別手段）４３を備える。この画像処理装置４０とカラー画像入力装置２とにより画像読取装置を構成している。Ａ／Ｄ変換部４１は実施の形態１のＡ／Ｄ変換部５に、入力補正部４２は実施の形態１の入力補正部６に、原稿種別自動判別部４３は実施の形態１の原稿種別自動判別部７に対応しており、それぞれ、同等の構成および機能を有する。
【０１６３】
即ち、入力補正部４２は実施の形態１の入力補正部６と同様、原稿画像の種類に応じて異なるマトリクス係数を用いて入力色補正処理を行い、ＲＧＢ信号をＲ０・Ｇ０・Ｂ０信号に変換する。この場合も、実施の形態１で説明したように、原稿種別自動判別部４３は必ずしも必要なく、画像読取装置に備えられる操作パネル４より画像モードを入力するようにしても良い。
【０１６４】
入力補正部４２において入力色補正処理されたＲ０・Ｇ０・Ｂ０信号は、図５に示すように、コンピュータ５０を介してプリンタ７０に入力される。プリンタ７０は、コンピュータ５０から出力された信号に基づいて、画像を用紙（記録媒体）上に形成する。
【０１６５】
これにより、画像処理装置４０に入力された画像の画像データにおける色成分の信号の値（ＲＧＢ信号）にかかわらず、画像の種類に応じてマトリクス係数を切り替えることができる。従って、画像の種類に応じて適切な入力色補正処理を行うことができる。
【０１６６】
コンピュータ５０は、図５に示すように、プリンタドライバ６０、通信ポートドライバ６４、および、通信ポート６５を備える。また、プリンタドライバ６０は、色補正部６１、階調再現処理部６２、および、プリンタ言語翻訳部６３を備える。
【０１６７】
プリンタドライバ６０は、画像処理装置４０からの画像データ（Ｒ０・Ｇ０・Ｂ０信号）を、色補正部６１および階調再現処理部６２を用いて処理する。ここで、色補正部６１は、実施の形態１の色補正部１０が行う色補正処理（不要吸収成分を含むＣ・Ｍ・Ｙ色材の分光特性に基づいた色濁りを取り除いて色変換を行う処理）、および、黒生成下色除去部１１が行う黒生成下色除去処理とを実行する。また、階調再現処理部６２は、実施の形態１の階調再現処理部１４と同等の構成および機能を有する。
【０１６８】
色補正部６１および階調再現処理部６２にて処理された画像データは、プリンタ言語翻訳部６３でプリンタ言語への変換がなされる。その後、通信ポートドライバ６４および通信ポート（ＲＳ２３２Ｃ・ＬＡＮなど）６５を介して、電子写真方式やインクジェット方式のプリンタ７０に入力される。プリンタ７０は、プリンタ機能の他にコピー機能およびファックス機能を有するデジタル複合機であってもよい。
【０１６９】
なお、コンピュータ５０に取り込まれたデータを加工（例えば、文書データに写真データを貼り付けるなど）し、原稿の種類が変わってしまう場合があるので、上記マトリクス係数を用いた画像処理をアプリケーション・ソフトウェアとして実施し、加工（編集）された画像データに対して処理を行うようにしてもかまわない。
【０１７０】
上記実施の形態１・２における画像処理装置１および画像処理装置４０と同様の効果は、コンピュータに実行させるためのプログラムを記録したコンピュータ読み取り可能な記録媒体に、画像処理方法を記録することによっても得ることができる。この結果、画像処理方法を行うプログラムを記録した記録媒体を、持ち運び自在に提供することができる。
【０１７１】
また、上記の記録媒体として、マイクロコンピュータで処理が行われるために図示しないメモリ、例えばＲＯＭのようなものそのものがプログラムメディアであってもよい。あるいは、記録媒体として、例えば図示していないが外部記憶装置としてプログラム読み取り装置が設けられているとすると、そこに挿入することで読み取り可能なプログラムメディアであってもよい。
【０１７２】
いずれの場合においても、格納されているプログラムはマイクロプロセッサがアクセスして実行させる構成であってもよいし、あるいは、プログラムを読み出すと、その読み出されたプログラムがマイクロコンピュータの図示されていないプログラム記憶エリアにダウンロードされ、そのプログラムが実行される方式であってもよい。このダウンロード用のプログラムは予め本体装置に格納されているものとする。
【０１７３】
ここで、上記プログラムメディアは、本体と分離可能に構成される記録媒体であり、磁気テープやカセットテープなどのテープ系、フロッピーディスクやハードディスクなどの磁気ディスクやＣＤ−ＲＯＭ（Ｃｏｍｐａｃｔ　Ｄｉｓｃ　Ｒｅａｄ　Ｏｎｌｙ　Ｍｅｍｏｒｙ）／ＭＯ（Ｍａｇｎｅｔｏ　Ｏｐｔｉｃａｌ）／ＭＤ（Ｍｉｎｉ−Ｄｉｓｃ）／ＤＶＤ（Ｄｉｇｉｔａｌ　Ｖｅｒｓａｔｉｌｅ　Ｄｉｓｃ）などの光ディスクのディスク系、ＩＣカード（メモリカードを含む）／光カードなどのカード系、あるいはマスクＲＯＭ、ＥＰＲＯＭ（Ｅｒａｓａｂｌｅ　Ｐｒｏｇｒａｍｍａｂｌｅ　Ｒｅａｄ　Ｏｎｌｙ　Ｍｅｍｏｒｙ）、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）、フラッシュＲＯＭなどによる半導体メモリを含めた固定的にプログラムを担持する媒体であってもよい。
【０１７４】
また、上記実施の形態１・２においては、インターネットを含む通信ネットワークを接続可能なシステム構成であることから、通信ネットワークからプログラムをダウンロードするように流動的にプログラムを担持する媒体であってもよい。なお、このように通信ネットワークからプログラムをダウンロードする場合には、そのダウンロード用のプログラムは予め本体装置に格納しておくか、あるいは別な記録媒体からインストールされるものであってもよい。
【０１７５】
上記記録媒体は、デジタルカラー画像形成装置やコンピュータシステムに備えられるプログラム読み取り装置により読み取られることで上述した画像処理方法が実行される。
【０１７６】
コンピュータシステムは、フラットベッドスキャナ・フィルムスキャナ・デジタルカメラなどの画像読取装置、所定のプログラムがロードされることにより上記画像処理方法など様々な処理が行われるコンピュータ、コンピュータの処理結果を表示するＣＲＴディスプレイ・液晶ディスプレイなどの画像表示装置およびコンピュータの処理結果を紙（記録媒体）などに出力するプリンタより構成される。さらには、ネットワークを介してサーバーなどに接続するための通信手段としてのモデムなどが備えられる。
【０１７７】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【０１７８】
【発明の効果】
本発明の画像処理装置は、以上のように、マトリクス係数を用いて、入力された画像の画像データにおける色成分の信号の強度を補正するための入力色補正処理を行う入力色補正手段と、画像の種類に応じたマトリクス係数を複数格納するマトリクス係数記憶手段と、上記マトリクス係数記憶手段に格納されたマトリクス係数のうち、入力された画像の種類に応じたマトリクス係数を読み出し、上記入力色補正手段に設定する制御手段とを備える構成である。
【０１７９】
これにより、入力された画像の画像データにおける色成分の信号の値にかかわらず、画像の種類に応じてマトリクス係数を切り替えることができる。従って、画像の種類に応じて適切な入力色補正処理を行うことができる。
【０１８０】
また、記憶容量の小さなマトリクス係数を用いて、入力色補正処理を行うため、例えば、後に色変換処理（色成分を異なる色成分に変換する処理）を行うとき、画像の種類ごとに、記憶容量の大きなＬＵＴ（ルックアップテーブル）を用いる必要がない。従って、記憶容量の抑制を図ることができるといった効果を奏する。
【０１８１】
本発明の画像処理装置は、画像の種類が、少なくとも、文字、網点、および、写真のうちのいずれかである構成である。
【０１８２】
これにより、例えば、文字、網点（印刷写真）、写真（印画紙写真）、または、それらが混在した画像など、それぞれの種類に応じた入力色補正処理を行うことができるといった効果を奏する。
【０１８３】
本発明の画像処理装置は、ルックアップテーブルを用いて、入力された画像の画像データにおける色成分で構成される第１表色系からなる第１画像データを、記録媒体上に画像を形成するための第２表色系からなる第２画像データに変換する色変換手段を備える構成である。
【０１８４】
これにより入力色補正手段において、画像の種類に応じた入力色補正処理が行われているため、色変換手段においては、画像の種類に応じてＬＵＴを複数備える必要がない。
【０１８５】
即ち、いずれかの画像の種類に対応するＬＵＴを１つ備えるだけで、画像の種類がいずれであっても、適切に第１画像データを第２画像データに変換することができる。また、少なくとも１つはＬＵＴを備えることにより、第１画像データから第２画像データへの変換精度は良好となる。
【０１８６】
従って、良好な画質の画像を記録媒体上に形成することができる。
【０１８７】
また、このように、画像の種類ごとにＬＵＴを作成する必要がないことにより、必要な記憶容量を抑制することができる。従って、画像処理装置におけるパフォーマンスの向上およびコストの低下を図ることができるといった効果を奏する。
【０１８８】
本発明の画像処理装置は、制御手段が、入力された画像を構成する色材の種類に応じて、入力色補正手段にマトリクス係数を設定する構成である。
【０１８９】
これにより、入力された画像を構成する色材、即ち、入力された画像の形成に用いられていた色材によって読み取り誤差が発生していたとしても、色材に応じて適切に、入力色補正処理を行うことができる。従って、より良好な画質の画像を記録媒体上に形成することができるといった効果を奏する。
【０１９０】
本発明の画像形成装置は、上記記載の画像処理装置と、原稿から画像を読み取り、上記画像処理装置に読み取った画像を入力する画像入力装置とを備える構成である。
【０１９１】
これにより、画像処理装置は、画像入力装置によって入力された画像の画像データに対して、画像の種類に応じて適切な入力色補正処理を行うことができる。従って、良好な画質の画像を形成することが可能な画像形成装置を提供することができる。
【０１９２】
また、記憶容量の小さなマトリクス係数を用いて、入力色補正処理を行うため、例えば、画像処理装置において入力色補正処理より後に色変換処理（色成分を異なる色成分に変換する処理）を行うとき、画像の種類ごとに、記憶容量の大きなＬＵＴ（ルックアップテーブル）を用いる必要がない。従って、画像形成装置において記憶容量の抑制を図ることができるといった効果を奏する。
【０１９３】
本発明の画像処理方法は、以上のように、複数のマトリクス係数のうち、入力された画像の種類に対応するマトリクス係数を選択し、上記選択されたマトリクス係数を用いて、上記入力された画像の画像データにおける色成分の信号の強度を補正する入力色補正処理を行う構成である。
【０１９４】
これにより、入力された画像の画像データにおける色成分の信号の値にかかわらず、画像の種類に応じてマトリクス係数を切り替えることができる。従って、画像の種類に応じて適切な入力色補正処理を行うことができる。
【０１９５】
また、記憶容量の小さなマトリクス係数を用いて、入力色補正処理を行うため、例えば、後に色変換処理（色成分を異なる色成分に変換する処理）を行うとき、画像の種類ごとに、記憶容量の大きなＬＵＴ（ルックアップテーブル）を用いる必要がない。従って、記憶容量の抑制を図ることができるといった効果を奏する。
【０１９６】
本発明の画像処理方法は、画像の種類が、少なくとも、文字、網点、および、写真のうちのいずれかである構成である。
【０１９７】
これにより、例えば、文字、網点（印刷写真）、写真（印画紙写真）、または、それらが混在した画像など、それぞれの種類に応じた入力色補正処理を行うことができるといった効果を奏する。
【０１９８】
本発明の画像処理方法は、入力された画像の画像データにおける色成分で構成される第１表色系からなり入力色補正処理された第１画像データを、ルックアップテーブルを用いて、記録媒体上に画像を形成するための第２表色系からなる第２画像データに変換する色変換処理を行う構成である。
【０１９９】
これにより、画像データは画像の種類に応じた入力色補正処理が行われているため、画像の種類に応じてＬＵＴを複数備える必要がない。
【０２００】
即ち、いずれかの画像の種類に対応するＬＵＴを１つ備えるだけで、画像の種類がいずれであっても、適切に色変換処理を行うことができる。また、少なくとも１つはＬＵＴを備え、ＬＵＴを用いて色変換処理を行うことにより、色変換処理における変換精度は良好となる。
【０２０１】
また、このように、画像の種類ごとにＬＵＴを作成する必要がないことにより、処理に必要な記憶容量を抑制することができるといった効果を奏する。
【０２０２】
本発明の画像処理方法は、入力された画像を構成する色材の種類に応じて、マトリクス係数を選択する構成である。
【０２０３】
これにより、入力された画像を構成する色材、即ち、入力された画像の形成に用いられていた色材に応じて、適切に、入力色補正処理を行うことができる。従って、より良好な画質の画像を形成することができるといった効果を奏する。
【０２０４】
本発明の画像処理プログラムは、上記画像処理方法をコンピュータに実行させる構成である。
【０２０５】
これにより、画像処理プログラムをコンピュータシステムにロードすることにより、上記画像処理方法をユーザに提供することができるといった効果を奏する。
【０２０６】
本発明の記録媒体は、画像処理方法をコンピュータに実行させる画像処理プログラムを記録した構成である。
【０２０７】
これにより、記録媒体に記録されたプログラムをコンピュータシステムにロードすることにより、上記画像処理方法をユーザに提供することができるといった効果を奏する。
【図面の簡単な説明】
【図１】本発明の実施の一形態に係るデジタルカラー複写機の要部の構成を示すブロック図である。
【図２】入力補正部の構成を示すブロック図である。
【図３】入力補正部における入力色補正処理を示すフローチャートである。
【図４】本発明の実施の他の一形態に係る画像読取装置におけるカラー画像入力装置および画像処理装置の要部の構成を示すブロック図である。
【図５】図４に示す画像処理装置からの画像データが入力されるコンピュータおよびプリンタの要部の構成を示すブロック図である。
【符号の説明】
１　　画像処理装置
２　　カラー画像入力装置（画像入力装置）
３　　カラー画像出力装置
６　　入力補正部
７　　原稿種別自動判別部（原稿種類判別手段）
１０　　色補正部（色変換手段）
２４　　入力色補正部（入力色補正手段）
２５　　制御部（制御手段）
２６　　マトリクス係数記憶部（マトリクス係数記憶手段）
４０　　画像処理装置
４２　　入力補正部
４３　　原稿種別自動判別部（原稿種類判別手段）
５０　　コンピュータ（画像処理装置）
６０　　プリンタドライバ
６１　　色補正部（色変換手段）
７０　　プリンタ（画像出力装置）
【図１】
2004023401.tif 000009
【図２】
2004023401.tif 000010
【図３】
2004023401.tif 000011
【図４】
2004023401.tif 000012
【図５】
2004023401.tif 000013